(57)【要約】【課題】  泡を便器内に吐出する便器装置において、排出性の低下を抑制し、汚物が排水配管内に滞留することを抑制することが可能な便器装置を提供する。【解決手段】  溜水が溜め置かれる便器を備える便器装置であって、ボウル部に泡を吐出する泡吐出部と、吐水部からの吐水を制御する制御部と、を備え、制御部は、泡吐出部による泡吐出が行われたか否かを判断する泡吐出判断手段と、吐水部から洗浄水を吐水させて、ボウル部内を洗浄し汚物を排トラップ管路に向けて流すための第一洗浄、及び、第一洗浄に続き、洗浄水を排水トラップ管路に向けて流す第二洗浄を実施する洗浄工程実施手段と、泡吐出判断手段の判断結果に基づいて、吐出が行われた場合に、泡吐出が行われていない場合よりも第一洗浄における総洗浄水量を上昇させる洗浄水量判断手段と、を有する便器装置である。【選択図】  図１
2018155082.tif 000002
【特許請求の範囲】
【請求項１】
溜水が溜め置かれる便器を備える便器装置であって、
ボウル部と、
前記ボウル部の底部に接続され上方へ延びる上昇管路、及び、この上昇管路の下流端に接続され下降する下降管路を有し、溜水ととともに汚物を排出する排水トラップ管路と、
前記ボウル部に泡を吐出する泡吐出部と、
前記ボウル部に洗浄水を吐水する吐水部と、
前記吐水部からの吐水を制御する制御部と、を備え、
前記制御部は、
前記泡吐出部による泡吐出が行われたか否かを判断する泡吐出判断手段と、
使用者による洗浄動作を検知する洗浄動作検知手段と、
前記吐水部から洗浄水を吐水させて、前記ボウル部内を洗浄し汚物を前記排水トラップ管路に向けて流すための第一洗浄、及び、前記第一洗浄に続き、洗浄水を前記排水トラップ管路に向けて流す第二洗浄を実施する洗浄工程実施手段と、
前記泡吐出判断手段の判断結果に基づいて、泡吐出が行われた場合に、泡吐出が行われていない場合よりも前記第一洗浄における総洗浄水量を上昇させる洗浄水量判断手段と、を有する便器装置。
【請求項２】
前記洗浄水量判断手段は、前記泡吐出判断手段の判断結果に基づいて、泡吐出が行われた場合に、前記第一洗浄を、泡吐出が行われていない場合と同じ時間にて、泡吐出が行われていない場合に比べて時間辺りの洗浄水の吐水量を上昇させる請求項１に記載の便器装置。
【請求項３】
前記洗浄水量判断手段は、前記泡吐出判断手段の判断結果に基づいて、泡吐出が行われた場合に、前記第一洗浄を、泡吐出が行われていない場合に比べて長い時間にて、泡吐出が行われていない場合と同じ時間辺りの洗浄水の吐水量にする請求項１に記載の便器装置。
【請求項４】
洗浄水の落差による勢いにて汚物を排出する洗い落とし式便器である請求項１乃至３の何れか１項に記載の便器装置。
【発明の詳細な説明】
【技術分野】
【０００１】
本発明は、溜水が溜め置かれる便器を備える便器装置に関わる。
【背景技術】
【０００２】
従来から、便器装置として、泡を吐出する泡吐出口を有する吐水部を備え、泡吐出口により溜水面に泡を張ることで、用便時の溜水の跳ね返りを抑制するものが知られている（例えば、特許文献１参照）。
また、便器装置として、便器内面に泡を吐出する散布ノズルを備え、散布ノズルにより便器内面に泡膜を形成することで、便器内面への汚物の付着を抑制するものが知られている（例えば、特許文献２参照）。
【先行技術文献】
【特許文献】
【０００３】
【特許文献１】特開２０１５−１８３３８９号公報
【特許文献２】特開２０１７−００２５７１号公報
【発明の概要】
【発明が解決しようとする課題】
【０００４】
上述した便器装置においては、溜水面や便器内面へ吐出される泡の量や粘度等によっては、汚物がボウル部の底部まで沈みにくくなる懸念がある。汚物がボウル部の底部まで沈みにくくなると、汚物の排出性が低下する懸念がある。また、溜水面や便器内面へ吐出される泡の量や粘度等によっては、泡が消えづらくなり、便器装置下流側の建物躯体に設けられた排水配管内に泡が滞留することで、泡が抵抗となって汚物が排水配管内に滞留しやすくなる懸念がある。特に、排水配管が長尺である場合、曲がり数が多い場合、排水配管に勾配が施されていない場合、排水配管の継手に段差が存在する場合等に汚物が下流側へと向かいにくくなるため、汚物が排水配管内に滞留しやすくなる懸念がある。
【０００５】
本発明は、上述した問題を解決するためになされたものであり、泡を便器内に吐出する便器装置において、排出性の低下を抑制し、汚物が排水配管内に滞留することを抑制することが可能な便器装置を提供することを目的とする。
【課題を解決するための手段】
【０００６】
本発明は、溜水が溜め置かれる便器を備える便器装置であって、ボウル部と、ボウル部の底部に接続され上方へ延びる上昇管路、及び、上昇管路の下流端に接続され下降する下降管路を有し、溜水ととともに汚物を排出する排水トラップ管路と、ボウル部に泡を吐出する泡吐出部と、ボウル部に洗浄水を吐水する吐水部と、吐水部からの吐水を制御する制御部と、を備え、制御部は、泡吐出部による泡吐出が行われたか否かを判断する泡吐出判断手段と、使用者による洗浄動作を検知する洗浄動作検知手段と、吐水部から洗浄水を吐水させて、ボウル部内を洗浄し汚物を排トラップ管路に向けて流すための第一洗浄、及び、第一洗浄に続き、洗浄水を排水トラップ管路に向けて流す第二洗浄を実施する洗浄工程実施手段と、泡吐出判断手段の判断結果に基づいて、泡吐出が行われた場合に、泡吐出が行われていない場合よりも第一洗浄における総洗浄水量を上昇させる洗浄水量判断手段と、を有する便器装置である。
【０００７】
このように構成された本発明においては、制御部は、泡吐出部による泡吐出が行われたか否かを判断する泡吐出判断手段と、泡吐出判断手段の判断結果に基づいて、泡吐出が行われた場合に、泡吐出が行われていない場合よりも第一洗浄における総洗浄水量を上昇させる洗浄水量判断手段と、を有する。泡吐出が行われていない場合に比べて第一洗浄の総洗浄水量が上昇するため、泡によって汚物がボウル部の底部まで沈みにくい場合においても、汚物がボウル部の底部まで沈まないことを抑制することができ、汚物の排出力が低下することを抑制することができる。また、泡吐出が行われていない場合に比べて第一洗浄の総洗浄水量が上昇するため、便器装置下流側の建物躯体に設けられた排水配管内に泡が滞留することを抑制することができ、泡が抵抗となって汚物が排水配管内に滞留しやすくなることを抑制することができる。なお、本発明でいう「総洗浄水量」とは所定時間内における吐水量の合計である。
【０００８】
本発明は、好ましくは、洗浄水量判断手段は、泡吐出判断手段の判断結果に基づいて、泡吐出が行われた場合に、第一洗浄を、泡吐出が行われていない場合と同じ時間にて、泡吐出が行われていない場合に比べて時間辺りの洗浄水の吐水量を上昇させる。
【０００９】
このように構成された本発明においては、第一洗浄を、泡吐出が行われていない場合と同じ時間にて、泡吐出が行われていない場合に比べて時間辺りの洗浄水の吐水量を上昇させるため、第一洗浄の水勢を高めることができる。従って、泡によって汚物がボウル部の底部まで沈みにくい場合においても、汚物がボウル部の底部まで沈まないことをより確実に抑制することができ、汚物の排出力が低下することをより確実に抑制することができる。また、泡吐出が行われていない場合に比べて第一洗浄の総洗浄水量が上昇するため、便器装置下流側の建物躯体に設けられた排水配管内に泡が滞留することをより確実に抑制することができ、泡が抵抗となって汚物が排水配管内に滞留しやすくなることをより確実に抑制することができる。さらに、泡吐出が行われていない場合と洗浄に要する時間が変わらないため、使用者に違和感を与えにくい。
【００１０】
本発明は、また、洗浄水量判断手段は、泡吐出判断手段の判断結果に基づいて、泡吐出が行われた場合に、第一洗浄を、泡吐出が行われていない場合に比べて長い時間にて、泡吐出が行われていない場合と同じ時間辺りの洗浄水の吐水量にする。
【００１１】
このように構成された本発明においては、第一洗浄を、泡吐出が行われていない場合に比べて長い時間にて、泡吐出が行われていない場合と同じ時間辺りの洗浄水の吐水量にするため、泡吐出が行われていない場合に比べて第一洗浄の総洗浄水量が上昇するため、泡によって汚物がボウル部の底部まで沈みにくい場合においても、汚物がボウル部の底部まで沈まないことを抑制することができ、汚物の排出力が低下することを抑制することができる。また、泡吐出が行われていない場合に比べて第一洗浄の総洗浄水量が上昇するため、便器装置下流側の建物躯体に設けられた排水配管内に泡が滞留することを抑制することができ、泡が抵抗となって汚物が排水配管内に滞留しやすくなることを抑制することができる。
【００１２】
本発明は、さらに、好ましくは、洗浄水の落差による勢いにて汚物を排出する洗い落とし式便器である。
【００１３】
このように構成された本発明においては、洗浄水の落差による勢いにて汚物を排出する洗い落とし式便器であるため、溜水を攪拌し泡を消しつつ汚物を排出することができ、サイホン式便器がサイホン作用により溜水中の泡が消えていない状態にて汚物とともに排水配管へと引き込む懸念があるのに比べて、泡が消えていない状態にて排水配管へと流れ込むことを抑制することができる。従って、排水配管内に泡が滞留することをより確実に抑制することができ、泡が抵抗となって汚物が排水配管内に滞留しやすくなることをより確実に抑制することができる。
【発明の効果】
【００１４】
本発明によれば、泡を便器内に吐出する便器装置において、排出性の低下を抑制し、汚物が排水配管内に滞留することを抑制することが可能となる。
【図面の簡単な説明】
【００１５】
【図１】本発明の第一実施形態による便器装置を示す側面図。
【図２】本発明の第一実施形態による便器装置を示すブロック図。
【図３】本発明の第一実施形態による便器装置の動作を示すフローチャート。
【図４】本発明の第二実施形態による便器装置の動作を示すフローチャート。
【発明を実施するための形態】
【００１６】
以下、図面を参照して本発明の第一実施形態による便器装置について説明する。
まず、図１により本発明の第一実施形態による便器装置の構成について説明する。図１は本発明の第一実施形態による便器装置を示す側面図である。
図１に示すように、便器装置１００は、洗浄水の落差による勢いにて汚物を排出する、いわゆる、洗い落とし式便器であり、床面Ｆに載置される陶器製の便器２００と、便座装置３００とを備える。
【００１７】
本実施形態における便器装置１００は、図示しない洗浄水源から図示しない給水弁を介して供給された洗浄水を貯水する貯水タンク４００を備える。貯水タンク４００内には図示しない排水弁が設けられ、この図示しない排水弁が開弁することで便器２００へと洗浄水が供給されるようになっている。図示しない排水弁の開弁は、リモコン３４０へのスイッチ操作により行われる。また、貯水タンク４００内には排水弁（図示せず）から便器２００へ供給する洗浄水の流量（リットル／秒）を調整可能な流量調整手段が設けられる。なお、排水弁の開弁は、リモコンへのスイッチ操作に限らず、例えば、貯水タンク４００に取り付けられる操作レバーへの操作や、人体検知センサによる使用者の検知等の操作手段により行われる。また、本発明において、便器２００へ洗浄水を供給する手段は、貯水タンク４００に限るものではなく、例えば、水道から便器２００へと直接供給される形態や、ポンプにより洗浄水を供給する形態、あるいはこれらの形態の組み合わせでもよい。
【００１８】
便器２００は、便器２００の上部の前方側に形成されるボウル形状のボウル部２２０と、ボウル部２２０の底部に連通する排水トラップ管路２３０とを有する。
【００１９】
ボウル部２２０の上部には、貯水タンク４００から供給された洗浄水をボウル部２２０内へ吐水する吐水部２４０が設けられる。また、便器装置１００は、使用者による洗浄動作に基づいて吐水部２４０からの洗浄水の吐水を制御する制御部５００を備える。制御部５００についての詳細は後述する。
【００２０】
排水トラップ管路２３０は、ボウル部２２０の底部に接続され上方へ延びる上昇管路２３０ａ、及び、上昇管路２３０ａの下流端に接続され下降する下降管路２３０ｂを有する。下降管路２３０ｂの下端は図示しない排水ソケットを介して、床下の排水配管６００に接続されている。
【００２１】
また、排水トラップ管路２３０は、ボウル部２２０とともに溜水部２５０を形成する。溜水部２５０には洗浄水が毎回の洗浄後に所定量まで貯溜されて、上昇管路２３０ａの下流端（下降管路２３０ｂの上流端）の下面により高さが規定される溜水面Ｗが形成されている。
リモコン３４０への使用者による操作により、貯水タンク４００の排水弁（図示しない）が開弁し、吐水部２４０からボウル部２２０内面上に洗浄水が吐水されることで、ボウル部２２０内に旋回流が形成される。この旋回流が溜水部２５０内へと流下し、溜水を攪拌し、その後、溜水を汚物とともに排水トラップ管路２３０を経て、排水配管６００へと排出する。なお、本発明でいう「汚物」とは、使用者による排泄物のみならず、トイレットペーパー等の固形物をも含むものである。
【００２２】
図１に示すように、便座装置３００は、本体部３０１と、本体部３０１に対して開閉自在に軸支された便座３０３とを有する。
【００２３】
本体部３０１は、図示しない薬剤タンクと、図示しない薬剤ポンプと、図示しない吸気部と、図示しない吸気ポンプと、図示しない泡生成部と、泡吐出部３２０とを有する。
薬剤タンク（図示せず）は、その内部に、例えば、中性洗剤等の液体薬剤を貯蔵する。薬剤ポンプ（図示せず）は薬剤タンク（図示せず）内の液体薬剤を加圧して、泡生成部（図示せず）へと供給する。
吸気ポンプ（図示せず）は吸気部（図示せず）から空気を取り込んで加圧して、泡生成部（図示せず）へと供給する。
泡生成部（図示せず）には洗浄水が給水されるとともに、薬剤タンク（図示せず）から液体薬剤が供給され、吸気部（図示せず）から空気が供給される。泡生成部（図示せず）は、供給された洗浄水、液体薬剤、及び、空気を、例えばエゼクタ効果等により混ぜることで、泡を発生させる。
泡生成部（図示せず）により生成された泡は、泡吐出部３２０へ供給される。
【００２４】
泡吐出部３２０は、本体部３０１の内側と外側との間を進退可能に構成されたノズルである。泡を吐出する際は、先端側が本体部３０１から突出し、泡生成部（図示せず）から供給された泡をボウル部２２０内の溜水面Ｗへと上方から吐出する。また、泡吐出部３２０による泡の吐出は、リモコン３４０への操作により行われる。
なお、本実施形態においては、泡吐出部３２０から溜水面Ｗへと上方から泡を吐出したが、本発明はこのような形態に限られるものではない。例えば、溜水中に泡を吐出してもよいし、泡吐出部を進退のみならず揺動するように構成し、ボウル部内面全体へと泡を吐出するようにしてもよい。
また、泡吐出部からの泡の吐出は、リモコン３４０への操作に限らず、例えば、便器装置１００への使用者の接近を検知する人体検知手段を設けて、この人体検知手段による検知結果に基づいて行ってもよい。
【００２５】
便座装置３００は、便座３０３に着座した使用者を検知する図示しない着座検知部や、便座３０３に着座した使用者の局部を洗浄する図示しない局部洗浄装置や、便座３０３に着座した使用者に温風を吹き付けて乾燥させる図示しない乾燥装置や、便座３０３を暖める図示しない暖房便座装置などを有する。
【００２６】
次に、図２を参照して本発明の第一実施形態における便器装置の制御部の機能的な構成について説明する。図２は本発明の第一実施形態における便器装置の制御的な構成を示すブロック図である。
図２に示すように、制御部５００は、時刻を計時する計時手段５０２と、メモリ５０４とを有し、リモコン３４０や貯水タンク４００内に設けられた水位センサ（図示せず）等から出力される信号を受け取って所定の情報処理を行い、その情報処理の結果実行する制御に応じた制御信号を給水弁（図示せず）や排水弁（図示せず）、流量調整手段（図示せず）等に出力する。その結果、制御部５００は、泡吐出判断手段と、洗浄動作検知手段、洗浄工程実施手段、洗浄水量判断手段として機能する。このように構成された制御部５００は、便器装置１００の使用状況の特性や使用者の特性に合わせて様々な制御を行うことが可能になる。
【００２７】
制御部５００は、泡吐出部３２０による泡吐出が行われたか否かを判断する泡吐出判断手段と、使用者によるリモコン３４０への洗浄動作を検知する洗浄動作検知手段とを有する。
さらに、制御部５００は、吐水部２４０から洗浄水を吐水させて、ボウル部２２０内面を洗浄し汚物を排水トラップ管路２３０に向けて流すための第一洗浄、及び、第一洗浄に続き、洗浄水を排水トラップ管路２３０に向けて流す第二洗浄を実施する洗浄工程実施手段を有する。
また、制御部５００は、泡吐出判断手段の判断結果に基づいて、泡吐出が行われた場合に、泡吐出が行われていない場合よりも第一洗浄における総洗浄水量を上昇させる洗浄水量判断手段を有する。本実施形態においては、洗浄水量判断手段は、泡吐出判断手段の判断結果に基づいて、泡吐出が行われた場合に、第一洗浄を、泡吐出が行われていない場合と同じ時間にて、泡吐出が行われていない場合に比べて時間辺りの洗浄水の吐水量を上昇させる。
【００２８】
第一洗浄は、例えば、ボウル部２２０の内面を洗浄するとともに、汚物の全てあるいは大半が排水トラップ管路２３０の下降管路２３０ｂ以降へ流れ込むまでに行われる洗浄である。第二洗浄は、第一洗浄に続いて行われ、例えば、汚物の全てあるいは大半より後に排水トラップ２３０の下降管路２３０ｂ以降へ流れ込むまでに行われる洗浄である。
また、本実施形態は洗浄水の落差による勢いにて汚物を排出する洗い落とし式であるが、例えば本発明はサイホン作用により汚物を排出する、いわゆる、サイホン式の便器に適用してもよい。その場合、第一洗浄は、例えば、サイホン作用が生じるまでに行われる洗浄であり、第二洗浄はサイホン作用が生じた後に続けて行われ溜水を補充しつつ汚物に後続して洗浄水を排水トラップ管路に向けて流す洗浄である。
【００２９】
次に、図３を参照して本発明の第一実施形態における便器装置の動作について説明する。図３は本発明の第一実施形態における便器装置の動作を示すフローチャートである。
使用者が泡吐出のためにリモコン３４０を操作することで、泡吐出部３２０から溜水に向けての泡吐出が行われるが、図３に示すように、制御部５００は泡吐出が行われたか否かを判断する泡吐出判断手段として機能し、リモコン３４０による泡吐出のために操作がなされない状態においては、制御部５００は泡吐出が行われていないと判断する（ステップＳ３０２：ＮＯ）。
【００３０】
次に、泡吐出が行われていないと判断した状態にて、使用者が洗浄のためにリモコン３４０を操作することで、便器洗浄操作が行われると、制御部５００は、洗浄動作検知手段として機能し、使用者により洗浄動作がなされたと判断する（ステップＳ３０４）。
【００３１】
すると、制御部５００は、排水弁（図示せず）を駆動させ、吐水部２４０から洗浄水を吐水させることで洗浄工程実施手段により便器洗浄ａを実施する（ステップＳ３０６）。この便器洗浄ａにおいては、ボウル部２２０内面を洗浄し汚物を排水トラップ管路２３０に向けて流すための第一洗浄はＴ１秒の間、Ａ１リットル／秒にて吐水が行われ、第一洗浄に続き、汚物に後続して洗浄水を排水トラップ管路２３０に向けて流す第二洗浄はＴ１秒の間、Ａ１リットル／秒にて行われる。
【００３２】
一方、リモコン３４０による泡吐出のために操作がされると、制御部５００は泡吐出が行われたと判断する（ステップＳ３０２：ＹＥＳ）。
泡吐出が行われたと判断した状態にて、使用者が洗浄のためにリモコン３４０を操作することで、便器洗浄操作が行われると、制御部５００は、洗浄動作検知手段として機能し、使用者により洗浄動作がなされたと判断する（ステップＳ３０８）。
【００３３】
すると、制御部５００は、排水弁（図示せず）を駆動させ、吐水部２４０から洗浄水を吐水させることで洗浄工程実施手段により便器洗浄ｂを実施する（ステップＳ３１０）。この便器洗浄ｂにおいては、制御部５００は、泡吐出判断手段の判断結果に基づいて、泡吐出が行われた場合に、泡吐出が行われていない場合よりも第一洗浄における総洗浄水量を上昇させる洗浄水量判断手段として機能している。そのため、流量調整手段（図示せず）により、ボウル部２２０内面を洗浄し汚物を排水トラップ管路２３０に向けて流すための第一洗浄はＴ１秒の間、Ａ２（＞Ａ１）リットル／秒にて吐水が行われ、第一洗浄に続き、汚物に後続して洗浄水を排水トラップ管路２３０に向けて流す第二洗浄はＴ１秒の間、Ａ１リットル／秒にて行われる。
【００３４】
上述した本発明の第一実施形態による便器装置１００によれば、制御部５００は、泡吐出部３２０による泡吐出が行われたか否かを判断する泡吐出判断手段と、泡吐出判断手段の判断結果に基づいて、泡吐出が行われた場合に、泡吐出が行われていない場合よりも第一洗浄における総洗浄水量を上昇させる洗浄水量判断手段と、を有する。泡吐出が行われていない場合に比べて第一洗浄の総洗浄水量が上昇するため、泡によって汚物がボウル部２２０の底部まで沈みにくい場合においても、汚物がボウル部２２０の底部まで沈まないことを抑制することができ、汚物の排出力が低下することを抑制することができる。また、泡吐出が行われていない場合に比べて第一洗浄の総洗浄水量が上昇するため、排水配管６００内に泡が滞留することを抑制することができ、泡が抵抗となって汚物が排水配管６００内に滞留しやすくなることを抑制することができる。さらに、泡吐出が行われた場合に、泡吐出が行われていない場合よりも第一洗浄における総洗浄水量を上昇させ、第二洗浄における総洗浄水量は泡吐出が行われていない場合と同一にするため、第二洗浄における総洗浄水量も上昇させる場合に比べて、節水化することができる。
【００３５】
さらに、上述した本発明の第一実施形態による便器装置１００によれば、第一洗浄を、泡吐出が行われていない場合と同じ時間にて、泡吐出が行われていない場合に比べて時間辺りの洗浄水の吐水量を上昇させるため、第一洗浄の水勢を高めることができる。従って、泡によって汚物がボウル部２２０の底部まで沈みにくい場合においても、汚物がボウル部２２０の底部まで沈まないことをより確実に抑制することができ、汚物の排出力が低下することをより確実に抑制することができる。また、泡吐出が行われていない場合に比べて第一洗浄の総洗浄水量が上昇するため、排水配管６００内に泡が滞留することをより確実に抑制することができ、泡が抵抗となって汚物が排水配管６００内に滞留しやすくなることをより確実に抑制することができる。さらに、泡吐出が行われていない場合と洗浄に要する時間が変わらないため、使用者に違和感を与えにくい。
【００３６】
さらに、上述した本発明の第一実施形態による便器装置１００によれば、便器装置１００は、洗浄水の落差による勢いにて汚物を排出する洗い落とし式便器である。そのため、溜水を攪拌して泡を消しつつ汚物を排出することができ、サイホン作用によって汚物を排出する、いわゆるサイホン式便器がサイホン作用により溜水中の泡が消えていない状態にて汚物とともに排水配管６００へと引き込む懸念があるのに比べて、泡が消えていない状態にて排水配管６００へと流れ込むことを抑制することができる。従って、排水配管６００内に泡が滞留することをより確実に抑制することができ、泡が抵抗となって汚物が排水配管６００内に滞留しやすくなることをより確実に抑制することができる。
【００３７】
次に、図４を参照して本発明の第二実施形態について図４にて説明する。図４は本発明の第二実施形態における便器装置の動作を示すフローチャートである。なお、第二実施形態が第一実施形態と異なる点は、制御部５００の洗浄水量判断手段である。本実施形態における洗浄水量判断手段は、泡吐出判断手段の判断結果に基づいて、泡吐出が行われた場合に、第一洗浄を、泡吐出が行われていない場合に比べて長い時間にて、泡吐出が行われていない場合と同じ時間辺りの洗浄水の吐水量とする。
【００３８】
使用者が泡吐出のためにリモコン３４０を操作することで、泡吐出部３２０から溜水に向けての泡吐出が行われるが、図４に示すように、制御部５００は泡吐出が行われたか否かを判断する泡吐出判断手段として機能し、リモコン３４０による泡吐出のために操作がなされない状態においては、制御部５００は泡吐出が行われていないと判断する（ステップＳ４０２：ＮＯ）。
【００３９】
次に、泡吐出が行われていないと判断した状態にて、使用者が洗浄のためにリモコン３４０を操作することで、便器洗浄操作が行われると、制御部５００は、洗浄動作検知手段として機能し、使用者により洗浄動作がなされたと判断する（ステップＳ４０４）。
【００４０】
すると、制御部５００は、排水弁（図示せず）を駆動させ、吐水部２４０から洗浄水を吐水させることで洗浄工程実施手段により便器洗浄ａを実施する（ステップＳ４０６）。この便器洗浄ａにおいては、ボウル部２２０内面を洗浄し汚物を排水トラップ管路２３０に向けて流すための第一洗浄はＴ１秒の間、Ａ１リットル／秒にて吐水が行われ、第一洗浄に続き、汚物に後続して洗浄水を排水トラップ管路２３０に向けて流す第二洗浄はＴ１秒の間、Ａ１リットル／秒にて行われる。
【００４１】
一方、リモコン３４０による泡吐出のために操作がされると、制御部５００は泡吐出が行われたと判断する（ステップＳ４０２：ＹＥＳ）。
泡吐出が行われたと判断した状態にて、使用者が洗浄のためにリモコン３４０を操作することで、便器洗浄操作が行われると、制御部５００は、洗浄動作検知手段として機能し、使用者により洗浄動作がなされたと判断する（ステップＳ４０８）。
【００４２】
すると、制御部５００は、排水弁（図示せず）を駆動させ、吐水部２４０から洗浄水を吐水させることで洗浄工程実施手段により便器洗浄ｃを実施する（ステップＳ４１０）。この便器洗浄ｃにおいては、制御部５００は、泡吐出判断手段の判断結果に基づいて、泡吐出が行われた場合に、泡吐出が行われていない場合よりも第一洗浄における総洗浄水量を上昇させる洗浄水量判断手段として機能している。そのため、ボウル部２２０内面を洗浄し汚物を排水トラップ管路２３０に向けて流すための第一洗浄はＴ２（＞Ｔ１）秒の間、Ａ１リットル／秒にて吐水が行われ、第一洗浄に続き、汚物に後続して洗浄水を排水トラップ管路２３０に向けて流す第二洗浄はＴ１秒の間、Ａ１リットル／秒にて行われる。
【００４３】
上述した本発明の第二実施形態においては、制御部５００は、泡吐出部３２０による泡吐出が行われたか否かを判断する泡吐出判断手段と、泡吐出判断手段の判断結果に基づいて、泡吐出が行われた場合に、泡吐出が行われていない場合よりも第一洗浄における総洗浄水量を上昇させる洗浄水量判断手段と、を有する。泡吐出が行われていない場合に比べて第一洗浄の総洗浄水量が上昇するため、泡によって汚物がボウル部２２０の底部まで沈みにくい場合においても、汚物がボウル部２２０の底部まで沈まないことを抑制することができ、汚物の排出力が低下することを抑制することができる。また、泡吐出が行われていない場合に比べて第一洗浄の総洗浄水量が上昇するため、排水配管６００内に泡が滞留することを抑制することができ、泡が抵抗となって汚物が排水配管６６０内に滞留しやすくなることを抑制することができる。
【００４４】
さらに、上述した本発明の第二実施形態においては、制御部５００は、泡吐出が行われた場合に、第一洗浄を、泡吐出が行われていない場合に比べて長い時間にて、泡吐出が行われていない場合と同じ時間辺りの洗浄水の吐水量にするため、流量調整弁やポンプ装置等を用いずとも、排水弁（図示せず）を開弁している時間の長さのみによって第一洗浄の総洗浄水量を変化させることができる。従って、簡易な構成により第一洗浄の総洗浄水量の変化を実現することができる。
【符号の説明】
【００４５】
１００…便器装置
２００…便器
２２０…ボウル部
２３０…排水トラップ管路
２３０ａ…上昇管路
２３０ｂ…下降管路
２４０…吐水部
２５０…溜水部
３００…便座装置
３０１…本体部
３０３…便座
３２０…泡吐出部
４００…貯水タンク
３４０…リモコン
５００…制御部
６００…排水配管
Ｆ…床面
Ｗ…溜水面
【図１】
2018155082.tif 000003
【図２】
2018155082.tif 000004
【図３】
2018155082.tif 000005
【図４】
2018155082.tif 000006